(57)【要約】【課題】本体を壁面に配置するとで、扉付近の床面の清掃作業を容易に行うことができるとともに、引き戸や昇降窓等にも適用できるようにする。【解決手段】扉に取り付けられる第１部材１にロックバー１８を回転自在に支持し、開放状態の扉に対向する壁面に取り付けられる第２部材２のベース２４内に傾斜カム２４１を形成した。ロックバー１８は、傾斜カム２４１との当接によって回転し、棒バネ１３の弾性力によって９０度の回転角度位置毎に弾性的に保持される。ロックバー１８は、先端部の長手方向が水平となる第１姿勢のときに第２部材２の受け具２２の長孔２２１を通過してベース２４に出入り自在であり、先端部の長手方向が垂直となる第２姿勢のときには長孔２２１を通過できず、ベース２４内に停まる。【選択図】  図１
2013040500.tif 000002
【特許請求の範囲】
【請求項１】
それぞれ壁面の一部を開閉する扉と前記扉が対向する壁面との何れか一方及び他方において互いに対向する位置に取り付けられる第１部材及び第２部材から構成され、
前記第１部材に回転自在に支持され、回転位置に応じて互いに異なる第１姿勢及び第２姿勢となるロック部材と、
前記第１部材に配置され、前記ロック部材を１／２ｎ（ｎは自然数）回転毎の回転位置で停止させる回転規制部材と、
前記第１部材又は前記第２部材に配置され、前記第１部材と前記第２部材との当接力を回転力に変換して前記ロック部材に伝達する回転機構と、
前記第２部材に配置され、前記第１姿勢にある前記ロック部材を通過させ、前記第２姿勢にある前記ロック部材の通過を規制する受け具と、
を備えた戸当り装置。
【請求項２】
前記第１部材又は前記第２部材の何れか一方に、他方に対して弾性的に当接する当接部材を、前記ロック部材の回転軸に沿って移動自在に備えた請求項１に記載の戸当り装置。
【請求項３】
前記回転機構は、前記第２部材における前記受け具よりも内側に配置された傾斜カムであって、前記ロック部材に当接する傾斜面を備えた傾斜カムを有する請求項１又は２に記載の戸当り装置。
【請求項４】
前記回転機構は、前記第１部材において前記ロック部材と一体的に回転する回転体であって周面に突起を有する回転体と、前記第１部材に配置されて前記回転体が貫通する前記当接部材の内部に形成された傾斜カムであって前記突起が係合する傾斜カムと、を有する請求項１又は２に記載の戸当り装置。
【発明の詳細な説明】
【技術分野】
【０００１】
この発明は、扉の壁面への衝突を防止するとともに、扉を開放位置で選択的に保持する戸当り装置に関する。
【背景技術】
【０００２】
開口部を開閉する扉が開放時に壁面に衝突することを防止するとともに、扉を開放位置で選択的に保持するために、戸当り装置が用いられている。
【０００３】
従来の戸当り装置は、扉に取り付けられるストライクと、床面に設置される本体と、から構成されている（例えば、特許文献１参照。）。本体は、短軸枠体、開口部、アーム部材、回動体を備えている。開口部は、ストライクのピンが出入り自在にされている。アーム部材は、一端が軸支され、開口部の所定位置にバネの付勢によって配置され、ピンの押圧によって所定角度回動する。回動体は、短軸枠体に回動自在に遊嵌し、アーム部材の先端係合部との係合によって所定角度回動して開口部を開閉する。
【先行技術文献】
【特許文献】
【０００４】
【特許文献１】特開２００４−１３１９９７号公報
【発明の概要】
【発明が解決しようとする課題】
【０００５】
しかし、従来の戸当り装置は、本体が壁面に近接した床面に設置されるため、床を掃除する際に床面上に露出した本体が掃除具と当接し、本体と壁面との間の清掃作業に支障を来す問題がある。また、従来の戸当り装置は、回動する室内扉にのみ適用でき、引き戸や昇降窓等に適用することができない。
【０００６】
この発明は、本体を壁面に配置するとで、扉付近の床面の清掃作業を容易に行うことができるとともに、引き戸や昇降窓等にも適用できる戸当り装置を提供することにある。
【課題を解決するための手段】
【０００７】
この発明の戸当り装置は、第１部材、第２部材、ロック部材、回転規制部材、回転機構、受け具を備えている。第１部材及び第２部材は、それぞれ開口部を開閉する扉と扉が対向する壁面との何れか一方及び他方において互いに対向する位置に取り付けられる。ロック部材は、第１部材に回転自在に支持され、回転位置に応じて互いに異なる第１姿勢及び第２姿勢となる。回転規制部材は、第１部材に配置され、ロック部材を１／２ｎ（ｎは自然数）回転毎の回転位置で停止させる。回転機構は、第１部材又は第２部材に配置され、第１部材と第２部材との当接力を回転力に変換してロック部材に伝達する。受け具は、第２部材に配置され、第１姿勢にあるロック部材を通過させ、第２姿勢にあるロック部材の通過を規制する。
【０００８】
この構成により、一例としてロック部材を第１姿勢にして第１部材を扉に固定するとともに第２部材を壁面に固定して扉を開放位置に移動させると、第１部材が第２部材に近接することでロック部材が受け具を通過する。第１部材が第２部材に当接すると、この当接力が回転機構によって回転力に変換されてロック部材に伝達され、ロック部材が１／２ｎ回転して第２姿勢となり、受け具を通過できなくなる。第１部材の第２部材からの離間が規制され、扉が開放位置に保持される。この状態から、扉を再度壁面に向けて移動させると、第１部材が第２部材に当接した際の当接力が回転機構によって回転力に変換されてロック部材に伝達され、ロック部材が１／２ｎ回転して第１姿勢となり、受け具を通過できる。第１部材の第２部材からの離間の規制が解除され、扉が閉鎖位置に移動できる状態になる。
【０００９】
この構成において、第１部材又は第２部材の何れか一方に、他方に対して弾性的に当接する当接部材を、ロック部材の軸方向に移動自在に備えることが好ましい。第２姿勢のロック部材が受け具を通過できない状態を当接部材によって弾性的に維持され、扉を開放状態に安定して保持することができる。
【００１０】
また、回転機構は、第２部材における受け具よりも内側に配置された傾斜カムであって、ロック部材に当接する傾斜カムで構成することができる。
【００１１】
回転機構は、第１部材においてロック部材と一体的に回転する回転体であって周面に突起を有する回転体と、第１部材に配置されて回転体が貫通する当接部材であって内部に突起が係合する傾斜カムを備えた当接部材と、で構成することもできる。第２部材に回転機構を備える必要がなく、第２部材を小型化できる。
【発明の効果】
【００１２】
この発明によれば、扉付近の床面の清掃作業を容易に行うことができるとともに、引き戸や昇降窓等にも適用できる。
【図面の簡単な説明】
【００１３】
【図１】この発明の第１の実施形態に係る戸当り装置の組立図である。
【図２】同戸当り装置の第１部材の背面側から見た組立図である。
【図３】同戸当り装置の第２部材の正面側から見た組立図である。
【図４】（Ａ）〜（Ｃ）は、ロックバーが受け具を貫通した時の第１部材及び第２部材の要部の正面図及び側面断面図である。
【図５】（Ａ）〜（Ｃ）は、ロックバーが回転機構によって回転した時の第１部材及び第２部材の要部の正面図及び側面断面図である。
【図６】（Ａ）〜（Ｃ）は、ロックバーがロック位置にある時の第１部材及び第２部材の要部の正面図及び側面断面図である。
【図７】（Ａ）〜（Ｃ）は、ロックバーが回転機構によって再度回転した時の第１部材及び第２部材の要部の正面図及び側面断面図である。
【図８】この発明の第２の実施形態に係る戸当り装置の第２部材の背面側から見た組立図である。
【図９】同戸当り装置の第１部材の背面側から見た組立図である。
【図１０】（Ａ）〜（Ｄ）は、同戸当り装置の回転機構を構成する当接部材の側面図、正面図、背面図及びＸ−Ｘ部断面図である。
【発明を実施するための形態】
【００１４】
図１〜図３に示すように、この発明の第１の実施形態に係る戸当り装置１０は、第１部材１と第２部材２とから構成されている。一例として、第１部材１は建物の室内壁の一部を開閉するように回動自在に支持された扉の上部に取り付けられ、第２部材２は開放位置にある扉に対向する壁面に取り付けられる。第１部材１及び第２部材２は互いの前面を対向させて配置される。扉を閉鎖位置から開放位置に回転させると、扉に取り付けられた第１部材１が壁面に取り付けられた第２部材２に接近する。
【００１５】
第１部材１は、裏蓋１１、スペーサ１２、棒バネ１３、回転具１４、台座１５、圧縮バネ１６、プッシュカバー１７、ロックバー１８、台座カバー１９を備えている。台座１５は、スペーサ１２、棒バネ１３、回転具１４を収納した後、裏蓋１１によって背面を被覆される。裏蓋１１は、固定ネジ１１１によって台座１５の背面に固定される。
【００１６】
スペーサ１２は、内部に回転具１４を回転自在に支持する。回転具１４は、背面に形成された正方形の凸部１４１をスペーサ１２の背面側に露出させる。２本の棒バネ１３は、両端部を凹部１５１に嵌入させて台座１５に保持され、中間部を凸部１４１の水平な２面に圧接させる。回転具１４の前面には、固定ネジ１４１によってロックバー（ロック部材）１８が固定される。回転具１４は、ロックバー１８と一体的に回転する。回転具１４は、２本の棒バネ１３の弾性力により、９０度（１／４）回転する毎に回転位置を弾性的に保持される。２本の棒バネ１３は、この発明の回転規制部材に相当する。
【００１７】
台座１５の前面には筒部１５１が突出している。圧縮バネ１６は、前面側をプッシュカバー１７に被覆され、背面側を台座１５の前面に当接させた状態で筒部１５１に外嵌する。ロックバー１８は、プッシュカバー１７の孔部１７１を貫通し、筒部１５１内で回転具１４に固定される。ロックバー１８は、Ｔ字状を呈し、前端部の両端に、弾性樹脂等のカバー１８１が取り付けられる。圧縮バネ１６及びプッシュカバー１７が、この発明の当接部材に相当する。
【００１８】
台座カバー１９は、台座１５の前面を被覆する。プッシュカバー１７は、台座カバー１９の孔部１９１に背面側から嵌入し、フランジ部１７２が孔部１９１の縁部に当接するまで台座カバー１９の前面側に露出する。この状態で、プッシュカバー１７には、圧縮バネ１６弾性力が台座カバー１９の前面側に向けて作用している。
【００１９】
第２部材２は、戸当りカバー２１、受け具２２、ブロック２３、ベース２４、台座２５を備えている。ベース２４は、台座２５にロックボルト２６を介して角度調整可能にして固定される。受け具２２は、ベース２４の前面に固定ネジ２２１によって固定される。戸当りカバー２１は、受け具２２を前面側から被覆する。ブロック２３は、ベース２４の内部に固定される。なお、図１において第２部材２は、図３に示す状態と天地を逆にして配置している。
【００２０】
戸当りカバー２１及び受け具２２には、それぞれ孔部２１１及び孔部２２１が形成されている。孔部２１１及び孔部２２１は、水平方向の長孔であり、長手方向を水平方向に一致させた状態のロックバー１８の先端が通過可能な同一の大きさにされている。戸当りカバー２１は、例えばエストラマ等の軟質材料で構成されている。戸当りカバー２１は、ロックバー１８の先端部と受け具２２と当接による損傷を防止する。受け具２２の少なくとも前面を軟質材料で構成することにより、戸当りカバー２１を省略することもできる。ベース２４の内周面には、周方向に均等な間隔で４つの傾斜カム２４１が形成されている。傾斜カム２４１は、この発明の回転機構に相当する。
【００２１】
図４（Ａ）〜（Ｃ）に示すように、第１部材１のロックバー１８の先端が長手方向を水平にして位置する第１姿勢にある状態で、扉が開放位置に向けて回転されると、ロックバー１８の先端が第２部材２の孔部２１１及び孔部２２１を通過してベース２４の内部に侵入する。扉に作用する開放位置への回転力が小さい場合は、第１部材１のプッシュカバー１７の前面が戸当りカバー２１の前面に当接する位置で、扉の回転が停止する。このとき、ロックバー１８の先端は傾斜カム２４１に接触しない。
【００２２】
扉に作用する開放位置への回転力が大きい場合、図５（Ａ）〜（Ｃ）に示すように、第１部材１において、プッシュカバー１７が戸当りカバー２１の前面との当接により、圧縮バネ１６の弾性力に抗して台座カバー１９内に収納される。ロックバー１８の先端は、ベース２４内で背面側に移動し、傾斜カム２４１に当接し、傾斜カム２４１の傾斜に沿って矢印Ｒ方向に回転する。隣接する２個の傾斜カム２４１の間には、ロックバー１８の先端の幅よりも若干大きい間隔が設けられており、ロックバー１８の先端は傾斜カム２４１の間隔に嵌入する。このとき、ロックバー１８の先端は、第１姿勢から４５度以上の角度に回転する。ロックバー１８には、回転具１４を介して棒バネ１３の弾性力が矢印Ｒ方向の回転を継続するように作用する。
【００２３】
ロックバー１８が傾斜カム２４１との当接によって回転した後に、扉に対する回転力の作用が解除されると、図６（Ａ）〜（Ｃ）に示すように、プッシュカバー１７が圧縮バネ１６の弾性力によって台座カバー１９の前面側に露出する。プッシュカバー１７が戸当りカバー２１の前面を押圧する結果、第１部材１が扉とともに第２部材から離間する方向に移動し、ロックバー１８の先端はベース２４内で傾斜カム２４１に当接しない位置まで前面側に退避する。ロックバー１８の先端は、回転具１４を介して棒バネ１３から作用する弾性力によって第１姿勢から矢印Ｒ方向に９０度回転し、長手方向を垂直にした第２姿勢になる。第２姿勢のロックバー１８は、孔部２１１及び２２１を通過することができないため、ベース２４から外部に露出することができず、扉の開放状態が維持される。
【００２４】
第２姿勢のロックバー１８の先端がベース２４内に位置している状態から扉に開放方向の力が再度作用すると、図７（Ａ）〜（Ｃ）に示すように、第１部材１において、プッシュカバー１７が戸当りカバー２１の前面との当接により、圧縮バネ１６の弾性力に抗して台座カバー１９内に収納される。ロックバー１８の先端は、ベース２４内で背面側に移動し、傾斜カム２４１に当接し、傾斜カム２４１の傾斜に沿って矢印Ｒ方向に回転して、傾斜カム２４１の間隔に嵌入する。このとき、ロックバー１８の先端は、第２姿勢から４５度以上の角度に回転する。ロックバー１８には、回転具１４を介して棒バネ１３の弾性力が矢印Ｒ方向に回転を継続するように作用する。
【００２５】
ロックバー１８が傾斜カム２４１との当接によって回転した後に、扉に対する回転力の作用が解除されると、図４（Ａ）〜（Ｃ）に示すように、プッシュカバー１７が圧縮バネ１６の弾性力によって台座カバー１９の前面側に露出する。プッシュカバー１７が戸当りカバー２１の前面を押圧する結果、第１部材１が扉とともに第２部材から離間する方向に移動し、ロックバー１８の先端はベース２４内で傾斜カム２４１に当接しない位置まで前面側に退避する。ロックバー１８の先端は、回転具１４を介して棒バネ１３から作用する弾性力によって第２姿勢から矢印Ｒ方向に９０度回転し、長手方向を水平にした第１姿勢になる。第１姿勢のロックバー１８は、孔部２１１及び２２１を通過してベース２４から外部に露出することができ、扉を閉鎖位置に回転させることができる。
【００２６】
扉の上部に取り付けた第１部材１と、これに対向する壁面に取り付けた第２部材２と、により、扉の開放状態を選択的に維持できるため、床面から突出した部材を備える必要がなく、床面の清掃作業に支障を来すことがない。
【００２７】
なお、傾斜カム２４１は、ベース２４の内周面の２ｎ（ｎは自然数）箇所に配置すればよく、４箇所に限るものではない。
【００２８】
また、圧縮バネ１６及びプッシュカバー１７に代えて、戸当りカバー２１と受け具２２との間に圧縮バネを配置し、戸当りカバー２１及び圧縮バネで構成した当接部材を第２部材２に配置することもできる。当接部材は、第２姿勢のロックバー１８がベース２４内で背面側に移動することを規制して開放状態の扉のガタツキを防止するが、例えばドアクローザ等の扉を閉鎖方向に付勢する装置が設けられている場合には省略できる。
【００２９】
図８及び９に示すように、この発明の第２の実施形態に係る戸当り装置１００は、この発明の回転機構に相当する傾斜カム１１７１を、第１部材１０１のプッシュカバー１１７に備えたものである。なお、図に示す戸当り装置１００において、戸当り装置１０と同一の機能を有する部材には、戸当り装置１０と同一の符号を付して説明を省略する。
【００３０】
第１部材１０１において、固定ネジ１４２を介してロックバー１８が一体に固定される回転具１４は、周面の２カ所に突起１１４１を備えている。台座１５の内周面には、突起１１４１が通過するスリット１１５１が形成されている。突起１１４１は、第１部材１０１を組み立てた際に、台座１５の前面側に露出し、プッシュカバー１１７内に挿入される。
【００３１】
図１０に示すように、プッシュカバー１１７は、略円錐筒形状を呈しており、内周面の前面側に周方向に沿って等間隔の４カ所に傾斜カム１１７１を備えている。プッシュカバー１１７が第２部材１０２の受け具１２２の前面との当接によって圧縮バネ１６の弾性力に抗して背面側に移動した際に、回転具１４の突起１１４１が傾斜カム１１７１の傾斜面に当接し、ロックバー１８とともに回転する。
【００３２】
戸当り装置１００は、この発明の回転機構に相当する傾斜カム１１７１を第１部材１０１に備えているため、第２部材１０２は第１姿勢のロックバー１８が通過する孔部１２２１を備えた受け具１２２のみによって構成することができる。
【００３３】
戸当り装置１０及び１００において、第１部材１及び１０１を壁面に取り付け、第２部材２及び１０２を扉に取り付けることもできる。また、戸当り装置１０及び１００では、回転機構を傾斜カム２４１及び１１７１で構成したが、扉の開放方向の移動をロックバー１８に回転力に変換して伝達できることを条件に、傾斜溝等の他の構造とすることもできる。
【００３４】
戸当り装置１０及び１００は、引き戸と竪枠との間、抽斗ユニット、昇降窓等にも配置することができる。
【００３５】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００３６】
１−第１部材
２−第２部材
１０−戸当り装置
１３−棒バネ（回転規制部材）
１４−回転具
１８−ロックバー（ロック部材）
２２−受け具
２４−ベース
２４１−傾斜カム（回転機構）
【図１】
2013040500.tif 000003
【図２】
2013040500.tif 000004
【図３】
2013040500.tif 000005
【図４】
2013040500.tif 000006
【図５】
2013040500.tif 000007
【図６】
2013040500.tif 000008
【図７】
2013040500.tif 000009
【図８】
2013040500.tif 000010
【図９】
2013040500.tif 000011
【図１０】
2013040500.tif 000012